(57)【要約】  人体に関する生理的データを収集するシステムの実施形態は、人体内に埋め込まれたセンサ装置、埋め込みセンサ装置に通信可能に連結された誘導コイル、誘導コイルを介して埋め込みセンサ装置と通信する管理装置を含む。コイルは、センサ装置に巻き付けられるか、センサ装置固定に取り付けられる。人体内の生理的パラメータに関する生理的データを収集する方法の実施形態は、誘導コイルを埋込可能医療装置（ＩＭＤ）の通信回路に通信可能に連結することと、誘導コイル及びＩＭＤを人体の脈管に展開することと、通信回路を介して誘導コイル内に電流を誘発することとを含み、電流は、ＩＭＤと関連したデータを表す。
2009522064.tif 000002
【特許請求の範囲】
【請求項１】
人体の脈管内に埋め込まれる医療装置と通信するシステムであって、
埋込可能医療装置（ＩＭＤ）に電気的に連結された誘導コイルを含み、振動する電磁界が前記誘導コイルの近くで作られる時に前記誘導コイル内に起電力（ＥＭＦ）が誘発されるシステム。
【請求項２】
前記ＩＭＤは、生理的センサを収容するケーシングを含む生理的センサ装置と、データを送受信するように作動可能な通信回路と、前記通信回路によるデータ送信及びデータ受信を制御するように作動可能なセンサ装置コントローラとを含み、かつ前記誘導コイルが前記通信回路に接続され、それにより前記誘導コイル内で誘発されたＥＭＦを使用して前記通信回路へ、かつ前記通信回路からデータを通信する請求項１に記載のシステム。
【請求項３】
前記ＩＭＤは、充電式電池と電池再充電コントローラとを更に含み、前記電池再充電コントローラは、前記電池の再充電を制御し、かつ前記誘導コイルが前記電池再充電コントローラに接続され、それにより前記誘導コイル内の電流を使用して前記電池を再充電する請求項２に記載のシステム。
【請求項４】
前記電池再充電コントローラは、前記誘導コイルを介して受信された通信からのエネルギーを使用して前記電池を細流充電するように作動可能である請求項３に記載のシステム。
【請求項５】
前記センサ装置コントローラは、電池再充電モードに入る指令を検出し、かつそれに応答して、前記誘導コイルを介して前記通信回路によって少なくともデータ送信を非活動化するように構成される請求項３に記載のシステム。
【請求項６】
前記センサ装置コントローラは、電池再充電状態を監視し、かつ前記通信回路に、前記誘導コイルを介して電池再充電状態データを送信させるように更に作動可能である請求項５に記載のシステム。
【請求項７】
前記電池再充電コントローラは、前記誘導コイルに差動的に連結される請求項３に記載のシステム。
【請求項８】
前記通信回路は、生理的データを前記誘導コイルを介して埋め込み通信モジュールに無線送信するように作動可能である請求項２に記載のシステム。
【請求項９】
前記通信回路は、前記パルス発生器からの指令に応答して前記生理的データを送信する請求項８に記載のシステム。
【請求項１０】
前記ＩＭＤと前記誘導コイルは、カテーテルを通して脈管に設置可能である請求項１に記載のシステム。
【請求項１１】
前記誘導コイルは、摩擦により前記ＩＭＤを脈管内に固着するために、脈管の対向壁に対して膨張可能であり、かつ前記誘導コイルは自己膨張する請求項１に記載のシステム。
【請求項１２】
前記誘導コイルは、摩擦により前記ＩＭＤを脈管内に固着するために、脈管の対向壁に対して膨張可能であり、かつ前記誘導コイルはバルーン膨張可能である請求項１に記載のシステム。
【請求項１３】
前記ＥＭＦは、人体の外側の第２誘導コイルによって発生する請求項１に記載のシステム。
【請求項１４】
前記第２誘導コイルは、人によって運搬される装置内にある請求項１３に記載のシステム。
【請求項１５】
前記ＩＭＤは、前記誘導コイル内で電流を発生させて、前記誘導コイルを介してデータを送信するように作動可能である通信回路を含む請求項１に記載のシステム。
【請求項１６】
前記ＩＭＤは、充電式電池と、生理的センサ装置と、センサ装置コントローラとを更に含み、かつ前記センサ装置コントローラは、前記電池が再充電される間、前記通信回路の少なくとも一部を非活動化するように作動可能である請求項１５に記載のシステム。
【請求項１７】
前記センサ装置コントローラは、前記ＩＭＤに電池再充電モードに入ることを指令する外部装置からの再充電指令を受信するように作動可能である請求項１６に記載のシステム。
【発明の詳細な説明】
【技術分野】
【０００１】
本発明は、一般的にエネルギー伝達及び／又は埋込可能医療装置へ／からのデータ通信のために構成された誘導コイルに関する。より具体的には、誘導コイルは、人体の部位で埋込可能医療装置を機械的に固定するように構成される。
【背景技術】
【０００２】
医療装置は、種々の目的で患者の体内に埋め込むことができる。若干の医療装置は、生理的事象を検出し、かつある種の関心事象に応答して治療を施す。例えば、心臓ペースメーカは、患者の心臓の鼓動における一時的静止を検出でき、かつ心臓を刺激して再度鼓動させるために電気パルスを加える。埋込可能センサは、アクセスしにくい人体の区域内に設置し、かつ扱うことができるように、好ましくは小型である。
【０００３】
埋込可能センサ装置は、動作するために電力を必要とする構成要素を含む。例えば、センサは、生理的関心パラメータ（例えば、血圧）を感知するために、若干の少量の電力を必要とする。同様に、埋込可能センサ装置は、電力を必要とする通信回路を経由してデータを送受信する能力を有する。このようにして、埋込可能センサ装置は通常電池を含む。
【０００４】
若干の埋込可能センサ装置は、体内に埋め込まれた、パルス発生器のような他の装置にワイヤによって接続される。ワイヤは、他の装置へ、かつ他の装置からの通信、及び／又は電力伝達のために使用できる。これらのワイヤは、体内で、特に簡単に処置できない部位で埋込可能センサを設置し、扱うのに困難さを増大させることがある。
【発明の開示】
【課題を解決するための手段】
【０００５】
本明細書に記載された実施態様は、埋込可能医療装置（ＩＭＤ）の周囲又は近くに配置された誘電コイルを介して、埋込可能医療装置に電気エネルギーを伝達し、及び／又は埋込可能医療装置と通信するシステム、装置、方法を含む。ＩＭＤは、誘導コイル内に振動電流を発生させることによって通信でき、それにより他の装置によって感知できる電磁界を作る。他の装置は、電磁界が誘導コイルを横切る時、コイル内で起電力（ＥＭＦ）を誘発する振動する電磁界を発生させることによってＩＭＤと通信する。その上、誘導コイルが、ＩＭＤの周囲に配置されると、コイルは、身体脈管壁に対して膨張することによって身体脈管内の部位にＩＭＤを固着できる。
【０００６】
人体の脈管内の部位に埋込可能医療装置（ＩＭＤ）を固着するシステムの実施態様は、埋込可能医療装置内の高電圧ノードに連結された第１電極と、ＩＭＤ内の低電圧ノードに接続された第２電極とを有する誘導コイルを含み、誘導コイルの近くで誘発された電磁界が、誘導コイル内でＥＭＦを発生させ、かつ誘導コイルが、摩擦によりＩＭＤを部位に固着するために、脈管の対向壁に対して膨張する。
【０００７】
人体に関する生理的データを収集するシステムの実施態様は、人体に埋め込まれたセンサ装置、埋め込みセンサ装置に通信可能に連結された誘導コイル、誘導コイルを介して埋め込みセンサ装置と通信する管理装置を含む。
【０００８】
人体内の生理的パラメータに関する生理的データを収集する方法の実施態様は、誘導コイルを埋込可能医療装置（ＩＭＤ）の通信回路に通信可能に連結することと、誘導コイルとＩＭＤを人体の脈管に設置することと、通信回路を介して誘導コイル内に振動電流を誘発させることとを含み、振動電流は、ＩＭＤと関連したデータを表す信号を含む電磁界を発生させる。
【０００９】
センサ装置を人体内に埋め込むシステムの実施態様は、通信モジュールを収容するケーシングを有するセンサ装置、電池再充電モジュール、生理的パラメータを感知するために作動可能なセンサ、充電式電池を含む。システムは、センサ装置を人体内の部位に固着する手段を更に含み、固着装置は、センサ装置への通信と、エネルギー伝達の少なくとも一方を提供する。
【００１０】
代表的なシステムの実施態様は、人体に埋め込まれたセンサ装置、埋め込みセンサ装置に通信可能に連結された誘導コイル、誘導コイルを介して埋め込みセンサ装置と通信する管理装置を含む。管理装置は、人体に埋め込まれたパルス発生器を含むか、又はその中に収容される。管理装置は、人体に埋め込まれた非治療装置であっても良い。管理装置は、誘導コイルを介して生理的データを送信することを埋め込みセンサ装置に指令するように作動可能であっても良い。埋め込みセンサ装置は、誘導コイルに連結された充電式電池を更に含むことができる。
【００１１】
若干のシステムの実施態様において、埋め込みセンサ装置は、誘導コイルに連結された通信モジュールを含む。通信モジュールは、誘導コイルを介して管理装置からの指令を受信するように作動可能である。通信モジュールは、指令の受信に応答してデータを送信するように更に作動可能であっても良い。埋め込みセンサ装置は、電池の再充電を検出でき、かつ電池の再充電検出に応答して通信モジュールの少なくとも一部を非活動化できるセンサ装置コントローラを更に含むことができる。電池再充電コントローラは、誘導コイルからの再充電信号を検出するために含まれており、かつ電池を再充電するためにその信号を使用する。
【００１２】
若干の実施態様において、誘導コイルの電極は、ＩＭＤの壁内に位置決めされた絶縁貫通接続を通して配置される。貫通接続は、生体適合性絶縁体からなる。例えば、貫通接続は、熱可塑性ポリウレタンや、アルミナからなる群から選択された材料からなる。
【００１３】
更に他の実施態様において、誘導コイルは、埋め込みセンサ装置への取付具を含む。システムの幾つかの実施態様において、誘導コイルは、埋め込みセンサ装置に巻かれたステント状構造を形成する。誘導コイルは、固定への取付具であっても良い。ステント状構造は、脈管内に固定を提供するために、人体内で脈管壁に対して膨張できる。
【００１４】
複数の実施態様が開示されているが、本発明の他の実施態様が、本発明の例示的な実施態様を示し、かつ記載する以下の詳細な説明から、当業者に明らかになるであろう。気が付くであろうように、本発明は、種々の側面において修正が可能であり、全てが、本発明の範囲から逸脱しない。従って、図面及び詳細な説明は、性質が例示的であると見なされるべきで、限定的と見なされるべきでない。
【発明を実施するための最良の形態】
【００１５】
図１は埋込可能医療装置（ＩＭＤ）へ／からの通信を提供し、及び／又はＩＭＤへエネルギーを提供するように作動可能である誘導コイルに連結されたＩＭＤを有するヒト患者を示す。
【００１６】
図２はＩＭＤの周囲に配置され、かつＩＭＤに電気的に連結された誘導コイルを示す。
【００１７】
図３は隣接して位置決めされた誘導コイルを有するＩＭＤの一部を示す。
【００１８】
図４はシングルエンド駆動構成でＩＭＤに連結された誘導コイルを示す略図である。
【００１９】
図５は代表的構成要素を有するＩＭＤに差動的に連結された誘導コイルを示す略図である。
【００２０】
図６はＩＭＤを機械的に固着し、かつ他のＩＭＤと通信するために誘導コイルを使用する代表的なアルゴリズムを示すフローチャートである。
【００２１】
図７はＩＭＤ内で電池を充電するために、誘導コイルを使用する代表的なアルゴリズムを示すフローチャートである。
【００２２】
本発明は、種々の修正及び代替的形状に従うが、具体的な実施形態が、図面中で例として示され、かつ以下で詳細に記載される。しかし、本発明は、記載された特定の実施形態に本発明を限定されるものでない。それどころか、本発明は、添付の請求項によって定義されるような、本発明の範囲内に含まれる全ての修正、同等物、代替案をカバーすることが意図される。
【００２３】
埋込可能医療装置（ＩＭＤ）とは、一般的に感知機能又は治療機能の１つ以上を実行するために人体に埋め込むまれるあらゆる医療装置をも意味する。限定でなく、例として、ＩＭＤは、血圧、体温、姿勢、血糖値又はその他のような生理的パラメータを感知するために作動可能である。ＩＭＤは、患者の心臓内で律動を管理するために、パルス又は刺激のような治療を与えるように作動可能である。感知や治療に加えて、ＩＭＤは、通信機能のような他の機能をも備えている。
【００２４】
図１は、人１００の循環系の末梢脈管に埋め込まれた生理的センサ装置１０２のような、ＩＭＤを有する人１００を示す。この実施形態において、生理的センサ装置１０２は、脈管内の部位で血圧を感知するように作動可能である。センサ装置１０２は、生理的データ（例えば、血圧測定）を保存できるか、及び／又は他の装置に生理的データ又は他のデータを通信できる。例えば、センサ装置１０２は管理装置と通信しており、管理装置は埋め込み装置として又は外部計算装置１０８として具体化される。
【００２５】
一実施形態において、管理装置は、人１００に埋め込まれたパルス発生器（ＰＧ）１０６である。この実施形態において、管理装置は治療を提供する。例えば、パルス発生器１０６は、心臓１０４に治療を提供するためにパルスを発生させる。限定でなく、例として、パルス発生器１０６は、除細動器又はペースメーカである。パルス発生器１０６は、生理的センサ装置１０２への通信を介してセンサ装置１０２を制御又は管理することもできる。
【００２６】
示した実施形態は、埋め込み管理装置の実施形態としてパルス発生器１０６を示しているが、埋め込み管理装置は、治療を提供するように作動可能である必要がないことが理解されるべきである。それ故に、若干の実施形態において、埋め込み管理装置は、センサ装置１０２と通信するための通信機能のみを含む。若干の実施形態において、埋め込み管理装置は、センサ装置１０２及び外部計算装置１０８の両方と通信するための通信機能を含む。
【００２７】
同様に、示した実施形態において、外部計算装置１０８は、センサ装置１０２及び／又はＰＧ１０６と通信するための通信機能を含む。例えば、外部計算装置１０８は、状態データ又は生理的データのような、センサ装置１０２がセンサデータを通信するための指令のような、指令又はデータをセンサ装置１０２に送ることができる。
【００２８】
計算装置１０８は、携帯用又は定置式である。限定でなく、例として、外部計算装置１０８は、人１００に着用、又は人によって運搬される装置である。あるいは、外部計算装置１０８は、汎用、又は特殊用途のコンピュータであっても良い。それ故に、外部計算装置の例は、デスクトップコンピュータ、ラップトップコンピュータ、携帯情報機器（ＰＤＡ）、携帯電話、腕時計又は身体１００の胸部周囲に着用されるストラップに取り付けられた計算装置である。以下で更に論じるように、計算装置１０８とＰＧ１０６は、通常、センサ１０２と無線通信する。
【００２９】
外部充電装置１１０は、センサ装置１０２内で電池を充電するために使用できる信号をセンサ装置１０２に送ることもできる。外部充電装置１１０は、振動する電流を発生し、それにより充電装置１１０内や周囲に振動する電磁界を作る誘導コイルを含む。以下で更に詳細に論じるように、外部充電装置１１０によって発生した電磁界は、センサ装置１０２によって検出され、かつセンサ装置１０２内で電池を充電するために使用される。
【００３０】
外部充電装置１１０は、医師、看護師、又は他の有資格者が、身体１００の外部であるが、センサ装置１０２の近くに位置決めできる手持形ワンド又はプローブとして具体化できる。代替案として、外部充電装置１１０は、身体１００上に着用される衣類に織り込まれるか、又はその中で運搬されても良い。更に他の代替案として、外部充電装置１１０は、患者のベッドの近くに配置されるか、又は組み込まれる装置であっても良く、その結果患者が寝ている間に、充電装置１１０は、センサ装置１０２の電池を充電する。
【００３１】
同様に以下で更に詳細に論じるように、外部充電装置１１０は、センサ装置１０２内での電池の再充電状態を示す、フィードバック信号をセンサ装置１０２から受信することができる。この点に関して、外部充電装置１１０は、ユーザインタフェースを含むことができ、それによって使用者は、再充電状態を決定し、かつ必要であればより良好に充電するために充電装置１１０を動かすことができる。
【００３２】
センサ装置１０２は、通信及び電池再充電のために使用されるコイル１１２に連結される。振動電流が、誘導コイル１１２で発生する時、振動する電磁界は、誘導コイル１１２の近傍で発生する。例えば、電磁界は、コイル１１２によって形成される開口を通し、かつコイル１１２のループの周囲に生じる。電磁エネルギーは、ＰＧ１０６、外部計算装置１０８、及び／又は外部充電装置１１０との無線通信のために使用される。
【００３３】
同様に、電磁エネルギーが、誘導コイル１１２の開口内又はその周囲で発生する時、起電力（ＥＭＦ）が誘導コイル１１２のワイヤ内で発生する。誘導コイル１１２内で発生したＥＭＦは、センサ装置１０２との通信のために使用され、及び／又はセンサ装置１０２内で電池を再充電する電流をもたらすことができる。それ故に、例えば、外部計算装置１０８又は充電装置１１０によって発生した電磁界は、誘導コイル１１２のワイヤ内でＥＭＦを発生させるために誘導コイル１１２のループを横切る磁力線を含む。
【００３４】
幾つかの実施形態において、誘導コイル１１２は、センサ１０２を身体脈管の適切な位置に固着するために使用される。本明細書において更に論じるように、誘導コイル１１２は、チタンのような可撓性、導電性、生体適合性材料で作られ、かつ材料は、絶縁材の外層によって被覆される。これらの実施形態において、コイル１１２は、摩擦によりコイル１１２とセンサ１０２を適切な位置に固着又は固定するために、脈管壁に対して膨張力を与える。
【００３５】
図２は、埋込可能センサ装置２００の周囲に配置され、かつそれに電気的に連結される誘導コイル２０２の立面図である。この実施形態において、センサ装置２００は、長手方向軸に沿って、かつコイル２０２によって形成された開口内に配置される。誘導コイル２０２の両端２０６と２１０は、センサ装置２００に連結される。電極端部２０６、２１０は、結合された貫通接続２０８、２１２を介してセンサケーシング２０４を通って延びている。
【００３６】
種々の実施形態に従って、貫通接続２０８と貫通接続２１２は、電気的かつ流体的に絶縁性であり、かつケーシング２０４の内側と外側を通って突出する。貫通接続２０８、２１２は、誘導コイル端部２０６、２１０が延びることができる狭いチャネルを各々が有する。誘導コイル２０２、ケーシング２０４、貫通接続２０８、２１２は、通常、生体適合性材料からなる。
【００３７】
図３は、他の実施形態に従った、誘導コイル３０２に隣接した埋込可能センサ装置３００の一部の斜視図を示す。図３において、誘導コイル３０２の軸は、センサ装置３００を横切っている。絶縁性貫通接続３０４、３０６は、誘導コイル３０２の両端が延びる対応する通路を含む。貫通接続は、アルミナ、熱可塑性ポリウレタン（例えば、ポリエーテルを主成分とするポリウレタン、Ｔｅｃｏｔｈａｎｅ（登録商標））のような種々のタイプの生体適合性材料で作られるが、それらに限定されない。
【００３８】
図３に示した実施形態において、誘導コイル３０２は、固着機能を有していないが、センサ装置３００と通信し、センサ３００内の電池を充電する。図２、３は、埋込可能医療装置に対する誘導コイルの２つの可能な形状と配向を例示しているだけである。当業者に知られているような多数の変形例が可能である。例えば、貫通接続は、図２、３に示すような壁ではなく、センサケーシングの異なる側面に配置させることができる。
【００３９】
図４は、シングルエンド駆動構成４００で埋込可能センサ装置４０４に連結された誘導コイル４０２を示す略図である。誘導コイル４０２は、コイル４０２の開口内、及び／又はコイルのループの周囲で振動する電磁界が発生できるように、実質的に円筒形状に巻かれた生体適合性ワイヤで作られる。振動する電磁界が、コイル４０２内やその周囲で発生すると、ＥＭＦがコイル４０２のワイヤ内で発生する。振動電流がコイル４０２内で発生すると、振動する電磁界がコイル４０２内やその周囲で発生する。
【００４０】
誘導コイル４０２は、コイル４０２の両端に２つの電極、すなわち第１電極４０６と第２電極４０８とを有する。第１電極４０６と第２電極４０８は、それぞれ結合された貫通接続４１０ａ、４１０ｂを通して、埋込可能センサ装置４０４のハウジング４１２に延びている。
【００４１】
ハウジング４１２内で、第１電極４０６は、本明細書では接地と呼ばれる、比較的低電圧４１４に連結される。第２電極４０８は、電池再充電コントローラ４１６と通信モジュール４１８のポートに連結される。埋込可能センサ装置４０４は、電池再充電モードと通信モードを含むが、それらに限定されない少なくとも２つのモードで作動できる。モード応じて、コイル４０２は、通信するため又は電池再充電にエネルギーを供給するために使用される。細流充電のような若干の場合において、再充電と通信は同時に起こり得る。
【００４２】
通信モジュール４１８は、受信器４２０と送信器４２２とを含む。受信器４２０は、第２電極４０８を通して伝搬する信号を受信するように作動可能である。送信器４２２は、第２電極４０８を介してコイル４０２を通して電流を発生させるように作動可能である。コイル４０２に送信された電流は、コイル４０２内や周囲に生じる電磁エネルギーを引き起こす。発生した電磁エネルギーによって、他の装置によって検出され受信される無線信号が形成される。送信器４２２によって送信された信号は、予め決めたフォーマットであっても、なくても良く、かつ特定のプロトコルに従う。信号フォーマットやプロトコルは、あれば、業界標準であるか又は専用のフォーマットやプロトコルである。
【００４３】
電池再充電コントローラ４１６は、電池４２４の再充電を制御する。電池４２４は、関連した化学作用を有する。一実施形態において、電池４２４は、リチウム二酸化マンガン（Ｌｉ／ＭｎＯ2）化学作用を有する。他の実施形態において、Ｌｉ／ＡｇxＶyＯz又はＬｉ／ＣＦx又はＬｉ／ＳＯＣｌ2又は他の非リチウム電池化学作用のような、但しそれらに限定されない他の化学作用を使用できる。電池４２４は、埋込可能センサ装置４０４内の構成要素に電力を提供するために構成要素に連結される。例えば、電池４２４は、通信モジュール４１８、センサ装置コントローラ４２６、生理的センサ４２８に連結される。通常、電池４２４は、他の構成要素に直接接続されず、むしろ間接的に接続される。
【００４４】
センサ装置コントローラ４２６は、電池再充電コントローラ４１６と、通信モジュール４１８と、生理的センサ４２８とを制御する。以上で論じたように、埋込可能センサ装置４０４は異なるモードで作動できる。センサ装置コントローラ４２６は作動モードを選択する。この点に関して、センサ装置コントローラ４２６は、電池再充電コントローラ４１６に電池４２４を再充電するように指令するか、又は他の方法でそれをさせても良く、かつ通信モジュール４１８にデータを送／受信するように指令するか、又は他の方法でそれをさせても良い。同様にセンサ装置コントローラ４２６は、生理的センサ４２８に血圧のような生理的パラメータに関するデータを収集し、及び／又はデータを通信するように指令するか、又は他の方法でそれをさせても良い。
【００４５】
若干の実施形態において、指令及び／又はデータは、埋め込み通信装置（例えば、治療又は非治療装置）、又は外部計算装置のような他の装置から、埋込可能センサ装置４０４に送ることができる。これらの実施形態において、指令及び／又はデータは、誘導コイル４０２内で発生し、かつ受信器４２０によって受信される信号に埋め込むことができる。指令の例は、「生理的データを更新する」、「センサ装置状態データを更新する」、又は「電池再充電モードに入る」である。データを更新するための指令が受信されると、センサ制御モジュール４２６は、要求されたデータ（例えば、生理的又は状態）を送信器４２２を介して送信させる。コイル４０２で発生した電流は、振動し、それにより他の埋め込み装置の受信器又は外部装置によって検出できる振動する電磁界を生じさせ、それによりセンサ装置データの無線通信を可能にする。
【００４６】
電池再充電モードに入る指令が受信されると、センサ装置コントローラ４２６は、所定の方法で応答する。一実施形態において、センサ装置コントローラ４２６は、誘導コイル４０２内で生じるエネルギーによって電池４２８の充電を開始するために、電池再充電コントローラ４１６に信号を送る。センサ装置コントローラ４２６は、電池再充電プロセス中に、通信モジュール４２８の部分を非活動化することも指令できる。例えば、センサ装置コントローラ４２６は、送信器４２２を非活動化させることを指令する。
【００４７】
若干の実施形態において、電池再充電コントローラ４１６は、誘導コイル４０２を介して通信される信号に固有のエネルギーを使用して電池４２８を細流充電する。例えば、外部計算装置又は埋め込みパルス発生器、又は他の埋め込み通信装置から誘導コイル４０２を介して埋込可能センサ装置４０４に送信される指令又はデータは、埋込可能センサ装置４０４と通信するその第一の機能に加えて、電池４２８を充電するために使用される。それ故に、埋込可能センサ装置４０４は、コイル４０２内に生じるいかなるエネルギーを使用しても、電池４２８を効果的に再充電できる。このようにして、細流充電は、通常、センサ装置コントローラ４２６によって制御される。
【００４８】
埋込可能センサ装置４０４の構成要素は、ハードウェア、ソフトウェア、ファームウェア、又はハードウェア、ソフトウェア若しくはファームウェアのいずれかの組み合わせによって実装できる。例えば、センサ装置コントローラ４２４は、マイクロプロセッサ又はマイクロコントローラによって読み取り可能な、実行可能な指示を含むメモリに連結されたマイクロプロセッサ又はマイクロコントローラを含む。他の例として、通信モジュール４１８は、データを送受信するために通常使用される能動及び／又は受動構成要素を有する回路を含むことができる。更に他の例として、電池再充電コントローラ４１６は、振動電流の全波又は半波整流を行うために、整流器を含むこともできる。埋込可能センサ装置４０４の構成要素は、通常電池４２８の所要電力や電力定格に少なくとも部分的に基づき選択される。
【００４９】
図５は、差動的構成５００において、埋込可能センサ装置５０４に差動的に連結された誘導コイル５０２を示す略図である。センサ装置５０４は、図４に関して示され、かつ記載されたものと類似した構成要素を含む。図４の実施形態と図５の実施形態の間の１つの差は、誘導コイル５０２が通信モジュール５１８と電池再充電コントローラ５１６に連結される方法に関する。
【００５０】
図５の差動的構成５００において、誘導コイル５０２の第１電極５０６と第２電極５０８は、電池再充電コントローラ５１６、受信器５２０、送信器５２２に連結される。この様式では、構成要素の両端の電圧は、誘導コイル５０２の両端での電位差である。
【００５１】
図６は、埋込可能センサ装置のようなＩＭＤを身体脈管内に機械的に固着し、かつ埋込可能センサ装置と通信するために誘導コイルを使用する代表的なアルゴリズム６００を示すフローチャートである。アルゴリズム６００は、図６に示した特定の動作順序に限定されない。若干の場合において、複数の動作を少数の動作に組み合わせることができる。若干の動作は、複数の動作に分けることができる。
【００５２】
固着及び通信用の誘導コイルを有する埋込可能センサ装置を設置する前に、誘導コイルは、連結動作６０２で埋込可能センサ装置に連結される。一実施形態において、連結動作６０２は、誘導コイルの電極を、埋込可能センサ装置の電池再充電コントローラと通信モジュールに間接的に連結することを含む。例えば、電極は、いずれかの必要な信号調整を提供するために、直列にコンデンサ又は他の受動構成要素を有する通信モジュールに間接的に接続できる。
【００５３】
連結動作６０２は、通常埋込可能センサ装置の製造又は組み立て中に起こり、その間、コイルの２つの端部は、埋込可能センサ装置の壁内の絶縁性貫通接続を通して給電され、かつ埋込可能センサ装置構成要素の入／出力に接続される。以上で論じたように、誘導コイルは、差動的に連結されたり、又はシングルエンド駆動で連結されるというように、様々な方法で連結される。連結動作６０２は、埋込可能センサ装置ハウジング上又はその周囲にコイルを固定化することも含む。
【００５４】
設置動作６０４において、誘導コイル／センサ装置アセンブリは、身体脈管内の所望の部位に設置される。一実施形態において、設置動作６０４は、カテーテル内に誘導コイル／センサ装置アセンブリを挿入することと、患者にカテーテルを挿入することとを含む。カテーテルは、所望の部位に誘導され、かつ誘導コイル／センサ装置アセンブリは、カテーテルの端部から排出される。
【００５５】
誘導コイル／センサ装置は、カテーテルから排出される時、一実施形態において、コイルが脈管内で自己膨張する。コイルが膨張すると、摩擦によりコイルとセンサ装置を所望の部位に固着するために脈管壁を圧迫する。他の実施形態において、誘導コイル／センサ装置アセンブリのバルーン設置を使用できる。
【００５６】
誘導コイル／センサ装置が設置された後、確立動作６０６は、センサ装置との通信を確立する。このことは、外部計算装置又は他の通信モジュールから誘導コイルを介してセンサ装置に初期信号を送ることと、誘導コイルを介して送信されるセンサ装置からの応答を受信することとを含む。信号は、誘導コイルを横切る電磁界を作り、それによりコイル内に起電力（ＥＭＦ）を作り、通信モジュールによってセンサ装置に送ることができる。センサ装置は、コイル内とその周囲に電磁界を作るためにコイル内に振動電流を発生させることによって信号を発生させることができる。通信が確立された後、感知動作６０８は、生理的関心パラメータを感知する。感知動作６０８は、所定の時間に自動的に、又は特定の事象又は指令に応答して起こる。
【００５７】
センサ装置は、送信動作６１０においてデータを送信する。送信は、受信器又は他の装置によって無線で検出できる電磁界を発生させる誘導コイルを通して信号を発生させることによって実行される。送信動作６１０は、生理的データ及び／又は装置の状態のような他のデータを送信する。一実施形態において、生理的データは、データが感知動作６０８で感知される時に、リアルタイムで送信される。通信中、コイル電極と通信モジュールの間の接続は、通信搬送周波数に応じて定期的に切り替えることができる。
【００５８】
図７は、ＩＭＤ内で電池を充電するために、誘導コイルを使用する代表的なアルゴリズム７００を示すフローチャートである。一実施形態において、電池再充電アルゴリズム７００は、通信がＩＭＤと他の装置との間で確立された後に起こる。受信動作７０２において、センサ装置は、電池再充電モードに入る指令を受信する。電池再充電指令の受信に応答して、任意非活動化動作７０４は、送信部分のような通信モジュールの一部を非活動化させる。
【００５９】
電池再充電プロセス中、電流が誘導コイル内で発生する。調整動作７０６は、センサ装置内で電池への電力送信を管理することによってプロセスを調整する。その上、電池再充電プロセス中、又はその後に、監視動作７０８は、再充電状態を監視する。提供動作７１０は、電池再充電プロセスの状態に関するフィードバックを提供する。提供動作７１０は、電池が成功裡に充電されているかを示すために、通信モジュールを介して信号を送信する。状態は、外部再充電装置によって受信され、かつユーザインタフェース上に表示される。表示された状態に基づき、外部再充電装置のユーザは、例えば再充電装置を動かす、電力を変える等によって電池再充電プロセスを変更できる。
【００６０】
本発明の範囲から逸脱することなく、種々の修正や追加を、論じられた代表的な実施形態に行うことができる。例えば、上記実施形態は、特定の特徴を参照するが、本発明の範囲は、異なる特徴の組み合わせを有する実施形態、及び記載された特徴の全てを含まない実施形態も含む。従って、本発明の範囲は、請求項の範囲内にある全てのかかる代替案、修正及び応用例を、その全ての同等物と共に包含することが意図される。
【図面の簡単な説明】
【００６１】
【図１】埋込可能医療装置（ＩＭＤ）へ／からの通信を提供し、及び／又はＩＭＤへエネルギーを提供するように作動可能である誘導コイルに連結されたＩＭＤを有するヒト患者を示す。
【図２】ＩＭＤの周囲に配置され、かつＩＭＤに電気的に連結された誘導コイルを示す。
【図３】隣接して位置決めされた誘導コイルを有するＩＭＤの一部を示す。
【図４】シングルエンド駆動構成でＩＭＤに連結された誘導コイルを示す略図である。
【図５】代表的構成要素を有するＩＭＤに差動的に連結された誘導コイルを示す略図である。
【図６】ＩＭＤを機械的に固着し、かつ他のＩＭＤと通信するために誘導コイルを使用する代表的なアルゴリズムを示すフローチャートである。
【図７】ＩＭＤ内で電池を充電するために、誘導コイルを使用する代表的なアルゴリズムを示すフローチャートである。
【図１】
2009522064.tif 000003
【図２】
2009522064.tif 000004
【図３】
2009522064.tif 000005
【図４】
2009522064.tif 000006
【図５】
2009522064.tif 000007
【図６】
2009522064.tif 000008
【図７】
2009522064.tif 000009
【国際調査報告】
2009522064.tif 000010
2009522064.tif 000011
2009522064.tif 000012